(57)【要約】【課題】コード類一端を外部に取出した状態で、極力負担をかけずにコード類を巻き取ることにある。【解決手段】巻取部材２０は、巻取部材２０外周面２６に設けた第一開口２７と、外周面２６とは異なる巻取部材２０の一方の筒端に設けた第二開口２３とを有し、コード類４０一端（プラグ４２）を第一開口２７から第二開口２３に導通可能な構成であり、装置本体３０には、巻取部材２０の外周面２６を臨む位置にコード類４０一端が通過可能な引込口３８が設けてあるとともに、巻取部材２０の一方の筒端を臨む位置にコード類４０一端が通過可能な取出口３９が設けてあり、取出口３９を、巻取部材２０外周の内側位置に設けたことを特徴とする。【選択図】図１
2008254901.tif 000002
【特許請求の範囲】
【請求項１】
装置本体と、前記装置本体内に回転自在に軸支した筒状の巻取部材とを備え、コード類を前記巻取部材の外周面に巻取る巻取装置であって、
前記巻取部材は、前記巻取部材外周面に設けた第一開口と、前記外周面とは異なる巻取部材の一方の筒端に設けた第二開口とを有し、前記コード類一端を前記第一開口から前記第二開口に導通可能な構成であり、
前記装置本体には、前記巻取部材の外周面を臨む位置に前記コード類一端が通過可能な前記引込口が設けてあるとともに、前記巻取部材の一方の筒端を臨む位置に前記コード類一端が通過可能な取出口が設けてあり、前記取出口を、前記巻取部材外周の内側位置に設けたことを特徴とする巻取装置。
【発明の詳細な説明】
【技術分野】
【０００１】
本発明は、コード類の巻取装置に関する。
【背景技術】
【０００２】
従来、この種の巻取装置として特許文献１に記載の巻取装置が知られている。この巻取装置は、円筒状の装置本体と、その内部に回転自在に軸支された筒状の巻取部材を備える。そして装置本体側部には、巻取部材の外周面に向かって一対の引込口が対向状態で設けてあり、装置本体内部の巻取部材には、この一対の引込口を結ぶ直線に重なる位置にコード類を挟持するための挟持溝が設けてある。そしてコード類の巻取時においては、一方の引込口より挿入した一本のコード類を、巻取部材の挟持溝でもって挟みつけ、さらに他方の引込口から引出す。この状態で巻取部材を回転させることで、一対の引込口からコード類を同時に装置本体内に引き込こみつつ巻取部材の外周面に巻取ることができる。
【特許文献１】特開平１１−２４６１２６号公報
【発明の開示】
【発明が解決しようとする課題】
【０００３】
しかし上述の巻取装置では、一対の引込口よりコード類を同時に引き込むため、挟持溝に固定したコード類が一対の引込口に向かって同時に引っ張られることとなり、巻取時にコード類にかかる負担が大きいものであった。
本発明は、上述の点に鑑みて創案されたものであり、本発明の課題とするところは、コード類一端を外部に取出した状態で、極力負担をかけずにコード類を巻取ることにある。
【課題を解決するための手段】
【０００４】
上記課題を解決するため、本発明の巻取装置は、装置本体と、装置本体内に回転自在に軸支した筒状の巻取部材とを備え、コード類を巻取部材の外周面に巻取る巻取装置であって、巻取部材は、巻取部材外周面に設けた第一開口と、外周面とは異なる巻取部材の一方の筒端に設けた第二開口とを有し、コード類一端を第一開口から第二開口に導通可能な構成であり、装置本体には、巻取部材の外周面を臨む位置にコード類一端が通過可能な引込口が設けてあるとともに、巻取部材の一方の筒端を臨む位置にコード類一端が通過可能な取出口が設けてあり、取出口を、巻取部材外周の内側位置に設けた構成である。
【０００５】
すなわち本発明では、巻取部材の外周面を臨む位置に設けた装置本体の引込口から、プラグ等を備えるコード類一端を挿入し、この挿入したコード類一端を巻取部材の外周面に設けた第一開口に挿入する。そして、この第一開口に挿入のコード類一端を、外周面とは異なる巻取部材の一方の筒端に設けた第二開口に導き通して（導通して）、巻取部材外周の内側位置に設けた取出口から外部に取出す。そして巻取部材を回転することにより、第一開口の縁にコード類を係止しつつ、巻取部材外周の内側位置に設けた取出口周縁と第一開口の縁とでもって、取出口周縁に掛かるコード類を挟持するように支持する。そして、第一開口の縁を巻取基端としてコード類を巻き取ると、引込口側のコード類は、巻取方向に沿って配置しているので巻取部材の外周面に巻取られるが、取出口側のコード類は、巻取方向とは異なる軸心方向に外れて配置しているので巻取部材の外周面に巻取られることはない。このため、本発明の巻取装置によれば、コード類巻取時において、巻取部材に係止したコード類が取出口側から引っ張られることはないので、巻取時におけるコード類の負担が軽減することとなる。
【発明の効果】
【０００６】
本発明によれば、コード類一端を外部に取出した状態であっても、極力負担をかけずにコード類を巻取ることができる。
【発明を実施するための最良の形態】
【０００７】
以下に、本発明を実施するための最良の形態について図面を用いて説明する。
［実施例１］
図１は、コード類一端を取出した状態の巻取装置の斜視図であり、図２は、装置本体を構成する短筒状の正面型３０ａ及び短筒状の後面型３０ｂの組み付けを解除して、巻取装置の内部構造を示した巻取装置の分解図であり、図３は、ハンドル部材を取外した巻取装置の一部分解斜視図である。そして図１のように載置した巻取装置を基準として上下方向を定めるとともに、こちら側を臨む面を装置正面とする。
本実施例の巻取装置５０では、後述のコード類４０巻取時において、装置本体３０の正面３０ｆに設けた取出口３９からコード類４０一端のプラグ４２を取出して、プラグ４２を外部電源に接続可能な状態とする。なお巻取るべきコード類４０は、図面上、単数本であるが、後述する通り、複数本のコード類を同時に巻き取ることも可能である。
そして装置本体３０の後面３０ｒに設けたハンドル部材１０でもって装置本体３０内の巻取部材２０を回転して、巻取装置５０内のコード類４０を巻取部材２０に係り止めることにより、装置本体３０の引込口３８からコード類４０の他端側を引き込み、巻取部材２０の外周面２６に巻き取る構成である。
以下、各構成要素について説明する。
【０００８】
［装置本体］
装置本体３０は、下面が平坦状の略短円筒形状であって、平坦な下面を下側にして載置面に載置することが可能である。そして装置本体３０の周側部下部（後述の巻取部材２０の外周面２６を臨む位置）にはコード類４０を引き込むための引込口３８が設けてあり、この引込口３８下部にはローラー３７が設けてある。そして、装置本体３０の引込口３８からコード類４０を引込む際には、引込口３８下部に配置のローラー３７がコード類４０に当接して、コード類４０引込時の接触摩擦を軽減するように水平に橋渡しの軸３７ａ回りに回転する。
そして装置本体３０の正面３０ｆには、後述する巻取部材２０の一方の筒端を臨む位置に、コード類４０一端（プラグ４２）を取出可能な取出口３９が設けてあり、本実施例では、上述の引込口３８と取出口３９とは直交して配置の関係にある。すなわち取出口３９は、後述する軸心と対向するように装置本体正面３０ｆ側に開口しており、引込口３８は、軸心方向とは異なる装置本体３０の周側部側に開口している。そして取出口３９は、図１の正面から見て、後述する巻取部材２０の筒径Ｒ１よりも小さい開口径Ｒ２とされ、巻取部材２０の外周面２６よりも内側位置に配置されている。
【０００９】
［巻取部材］
巻取部材２０は短円状の筒状であり、その外周面２６とは異なる（本実施例においては、外周面２６と直交位置にある）一方の筒端は開放状（第二開口２３）とされ、他方の筒端はフランジ２２により閉塞状態とされている。そして巻取部材２０の外周面２６一部を切り欠いて、コード類４０一端（プラグ４２）を通過可能な第一開口２７が設けてある。この第一開口２７は、巻取部材２０の回転により装置本体３０の引込口３８と対面状態となり、引込口３８から挿入のコード類４０一端を第一開口２７に挿入可能である。
そして外周面２６の第一開口２７は、巻取部材２０の一方の筒端（第二開口２３）と連通しており、第一開口２７に挿入のコード類４０一端（プラグ４２）を一方の筒端（第二開口２３）に導通可能である。すなわち本実施例においては、上述の通り、巻取部材２０の外周面２６一部を切り欠いて、巻取部材２０の径方向内方に曲げ入れることで第一開口２７を形成する。そして、第一開口２７の正面端側がそのまま第二開口２３とされて両者が導通する。このようにして形成の第二開口２３（第一開口２７の正面端）は、図１の正面で見ると、上述の取出口３９を横断するように巻取部材２０の外周面２６から径方向内方側に湾曲折り返し状に形成されており、第二開口２３（第一開口２７の正面端）の両縁一部が上述の取出口３９を横切るように配置されている。
【００１０】
そして第一開口２７の両縁（開口縁）を構成の両肩部２８，２９は、巻取部材２０の外周面２６から径方向内方に向けて湾曲した形状であり、後述する通り、いずれか一方の肩部２８（２９）に、巻取装置５０内のコード類４０を係止可能である。このように、第一開口２７両縁に肩部２８，２９を設けたことで、図１の正面から見て、時計回り又は反時計回りのどちらの方向に巻取部材２０を回転しても、いずれか一方の肩部２８（２９）に巻取装置５０内のコード類４０を係止することが可能である。
【００１１】
そして巻取部材２０は、図２を参照して、その一方の筒端（第二開口２３）が装置本体３０の正面型３０ａを向き、他方の筒端を閉塞のフランジ２２が装置本体３０の後面型３０ｂを向くような配置でもって、装置本体３０内に組み付けられている。また、巻取部材２０は、装置本体３０よりも小径とされており、巻取部材２０の外周面２６と装置本体３０内周面との間に、巻取ったコード類４０を収納可能な隙間（クリアランス）を設けて装置本体３０内部に配設してある。
なお巻取部材２０の一方の筒端（第二開口２３）と装置本体３０の正面型３０ａ裏面との隙間間隔（クリアランス）は、この隙間にコード類４０が入り込まないよう、コード類４０の太さよりも狭い設定であることが好ましい。
【００１２】
そして巻取部材２０の他方の筒端を閉塞するフランジ２２には、装置本体３０の後面型３０ｂを臨む面中央に短筒状のボス２４が配設されており、このボス２４底部にナット２５が固定されている。このナット２５には、ボス２４の孔を介して、後述するハンドル部材１０のボルト１９が螺合することとなる。そしてフランジ２２を後面型３０ｂに組み付けるときに、図３を参照して、フランジ２２のボス２４を、装置本体３０の後面３０ｒに設けたボス挿入孔３６に挿入状態としておく。このようにすると、後述する装置本体後面３０ｒの窪部３２より、ボス挿入孔３６を通過のボス２４が露出した状態となる。
【００１３】
［ハンドル部材］
ハンドル部材１０は、円板状のハンドル基部１６と、ハンドル基部１６に対して起倒可能に軸支の平板状の取手部１２とを備える。そしてハンドル基部１６の中央位置には、ボルト１９の軸部（軸心）を挿通固定可能な軸受け環１８が設けてある。そして、装置本体３０の後面３０ｒには、ハンドル基部１６をその周方向に回転可能に嵌め込み可能な円形の窪部３２が設けてある。
そして軸受け環１８に固定のボルト１９軸部（軸心）を、上述したボス２４のナット２５に螺合しつつ、ハンドル基部１６を、装置本体後面３０ｒに設けた窪部３２に嵌め込む。そうすると、ハンドル部材１０と巻取部材２０がボルト１９軸部（軸心）でもって連結し、ハンドル部材１０をその周回りに回転させることで、ボルト１９にて連結の巻取部材２０が装置本体３０内で回転することとなる。
【００１４】
そして取手部１２には筒状の係合筒１４が設けてあり、この係合筒１４は、取手部１２を倒すことにより、ハンドル基部１６に設けた挿通孔１７に挿通する。そして係合筒１４の筒長寸法は、挿通孔１７を通過して装置本体３０の窪部３２側に突出するように設定してある。そして、装置本体３０の窪部３２には、ボス挿入孔３６を中心として装置本体３０の周回りに９０°間隔で４つの係合孔３４が設けてある。この係合孔３４は、各々、上述の取手部１２の係合筒１４を差込可能な開口径に設定してある。
そして取手部１２を起立状態としたハンドル部材１０を軸心回りに９０°回転させてから、取手部１２を倒してその係合筒１４を、挿通孔１７に挿通して係合孔３４に挿し込むことで、装置本体３０に対してハンドル部材１０が相対移動不能となる。このように装置本体３０に対してハンドル部材１０を固定することで、ハンドル部材１０に連結の巻取部材２０をも固定することができる。
【００１５】
ところで、本実施例の巻取装置５０では、装置本体３０の引込口３８及び取出口３９と巻取部材２０の第一開口２７及び第二開口２３は、各々、複数本のコード類を同時に通過可能な大きさ（径）に容易に変更可能なものである。このため、巻取装置５０のコード類収納量（巻取部材２０の外周面２６と装置本体３０内周面とのクリアランス）の許す限り、複数本のコード類を同時に巻き取ることが可能である。例えば電気機器が複数本のコード類を有する場合（例えばコンピュータのようにケーブル等のコード類と電源用のコード類を有する場合）であっても、本実施例の巻取装置５０であれば、それら複数本のコード類を同時に巻き取ることができる。なお、特許文献１に記載の巻取装置は、１本のコード類を挟持溝に挟持する構造であることから、同時に複数本のコード類を収納することは想定されていない。
そして本実施例の巻取装置５０は、家庭用の電気機器よりも太いコードを有する工具類の（電源用）コード類であっても、巻取部材２０の外周面２６と装置本体３０内周面とのクリアランスを広くすることで当該コード類を巻き取ることができるものである。
【００１６】
図４は、内部を透視して示した巻取装置の正面図であり、（Ａ）から（Ｃ）の順にコード類が巻取られる様子を示す図である。
図４（Ａ）を参照して、巻取部材２０の外周面２６を臨む位置に設けた装置本体３０の引込口３８からコード類４０一端（プラグ４２）を挿入し、この挿入したコード類４０一端を巻取部材２０の外周面２６に設けた第一開口２７に挿入する。この第一開口２７は、外周面２６とは異なる巻取部材２０の一方の開放状筒端（第二開口２３）に連通しており、第一開口２７に挿入のコード類４０一端を第二開口２３に導通して、巻取部材２０外周面２６内側に設けた取出口３９から外部に取出す。すなわち本実施例では、装置本体３０の周側部側の引込口３８から挿入したコード類４０一端を、装置本体裏面３０ｒに位置する軸心と対向するように装置本体正面３０ｆ側に開口した取出口３９より取出す。
そして図４（Ｂ）を参照して、巻取部材２０を回転することにより、巻取部材２０に設けた肩部２８（２９）にコード類４０を係止しつつ、巻取部材２０の外周面２６よりも内側位置に設けた取出口３９の周縁と肩部２８（２９）（取出口３９を横切る位置の第一開口２７の正面端部分）とでもって、取出口３９周縁に掛かるコード類４０を挟持するように支持する。
図４（Ｃ）を参照して、上述の状態で、肩部２８（２９）を巻取基端としてコード類４０を巻取部材２０の外周面２６に巻き取る。そうすると、引込口３８側のコード類４０は、巻取方向Ａに沿って配置しているので巻取部材２０の外周面２６に巻取られる。一方、取出口３９側のコード類４０は、巻取方向Ａとは異なる軸心方向Ｂに外れて配置しているので巻取部材２０の外周面２６に巻取られることはない。すなわちコード類４０一端は、取出口３９の周縁と肩部２８（２９）により支持（挟持）されつつ、肩部２８（２９）の移動に従って、取出口３９の周縁に沿って軸心回りに移動することとなる。
【００１７】
このため、本発明の巻取装置によれば、コード類４０巻取時において、巻取部材２０に係止したコード類４０が取出口３９側から引っ張られることはないので、巻取時におけるコード類４０の負担が軽減することとなる。また巻取装置５０では、取出口３９の周縁でコード類４０を支持する構成であるため、コード類４０一端を人が支持しておく必要はなく、一方の手で巻取装置５０を支持し、他方の手でハンドル部材１０を回転させてコード類４０を巻き取ることが可能である。
【００１８】
図５は、コード類を巻取った状態の巻取装置内部を透視して示す正面図である。
そして本実施例の巻取装置５０では、上述の通り、コード類４０一端（プラグ４２）を取出口３９から取出した状態でコード類４０を巻き取ることができる。このため、電気機器４４のコード類４０を巻取装置５０に巻き取ったのちであっても、コード類４０一端は取出口３９から取出された状態にあり、そのプラグ４２を、外部に配置の商用交流電源（コンセント）４６に接続することが可能である。
【００１９】
［実施例２］
図６は、コード類４０を巻取った状態の実施例２の巻取装置内部を透視して示す正面図である。
実施例２の巻取装置５０ａは、上述の実施例１の巻取装置５０とほぼ同様の構成を有するため、実施例１の巻取装置５０と同一構成については同一の符号を付すことにより、その詳細説明を省略する。
そして実施例２の巻取装置５０ａの特徴は、巻取部材２０の第一開口２７の奥方にコード類４０一端を固定するための固定部材６０が設けてあることである。すなわち固定部材６０は、プラグ４２（接続端子）を差込可能な一対の差込孔６２，６８と、差込状態のプラグ４２を弾性的に支持固定するための板バネ６４と、板バネ６４を取付固定する軸部６６とを有する。そして巻取部材２０の第一開口２７に挿入のプラグ４２を固定部材６０の差込孔６２，６８に差し込む。そして差込孔６２，６８に向けて凸状に突出配置の板バネ６４の付勢力でもって差込孔６２，６８内壁にプラグ４２を押し付けることで、プラグ４２の抜け方向への相対移動を阻止する。
すなわち本実施例によれば、コード類４０一端（プラグ４２）を外部に取出した状態でコード類４０を巻き取ることができるとともに、コード類４０一端（プラグ４２）を巻取装置５０ａ（巻取部材２０）内に収納した状態でコード類４０を巻き取ることもできる。
【００２０】
本実施の形態の巻取装置５０（５０ａ）は、本実施の形態で説明した外観、構成、処理、表示例等に限定されず、種々の変更、追加、削除が可能である。
本実施例においては、装置本体３０の取出口３９の開口径を、巻取部材２０の筒径よりも小さくした例を説明した。取出口３９は、巻取部材２０の第一開口２７の形成位置よりも巻取部材２０径方向内側に設けてあればよいので、例えば取出口を楕円形とし、巻取部材２０の第一開口２７と対応する部分だけを径方向内側に形成する構成であってもよい。また巻取部材の中心に対して、取出口の中心を巻取部材外周内側方向にズラしてもよい。また取出口の形状は、正面から見て円形や楕円形だけでなく各種形状を取り得る。
また本実施例における電気機器とは、例えば、温風ヒータ、扇風機、ヘアドライヤ、ミシン又はコンピュータなどの電源供給を受けて稼動する機器である。コード類とは、商用交流電源（コンセント）から電力を得るためのプラグが取り付けられている電源用コード類やコンピュータ等のケーブルを含み、このケーブル一端には端子（コネクタ）が取り付けられている。
また実施例においては、ハンドル部材によって装置本体内の巻取部材を回転させる（手動による回転の）例を説明した。これとは異なり、巻取部材をその周方向に自動回転するようにバネ付勢するなどして自動で巻取可能な構成としてもよい。また自動巻取においては、電気的に駆動して巻取部材を回転させる駆動装置を用いてもよい。
【図面の簡単な説明】
【００２１】
【図１】コード類一端を取出した状態の巻取装置正面の斜視図である。
【図２】巻取装置の分解図である。
【図３】ハンドル部材を取外した巻取装置の一部分解斜視図である。
【図４】内部を透視して示した巻取装置の正面図であり、（Ａ）から（Ｃ）の順にコード類が巻取られる様子を示す図である。
【図５】コード類を巻取った状態の実施例１の巻取装置内部を透視して示す正面図である。
【図６】コード類を巻取った状態の実施例２の巻取装置内部を透視して示す正面図である。
【符号の説明】
【００２２】
１０        ハンドル部材
１２        取手部
１４        係合筒
１６        ハンドル基部
１７        挿通孔
１８        軸受け環
１９        ボルト
２０        巻取部材
２２        フランジ
２３        第二開口
２４        ボス
２５        ナット
２６        巻取部材の外周面
２７        第一開口
２８，２９  肩部
３０ａ      正面型
３０ｂ      後面型
３０        装置本体
３２        窪部
３４        係合孔
３６        ボス挿入孔
３７        ローラー
３７ａ      ローラーの軸
３８        引込口
３９        取出口
４０        コード類
４２        プラグ
４４        電気機器
４６        コンセント
５０        実施例１の巻取装置
５０ａ      実施例２の巻取装置
６０        固定部材
６２，６８  差込孔
６４        板バネ
６６        軸部
【図１】
2008254901.tif 000003
【図２】
2008254901.tif 000004
【図３】
2008254901.tif 000005
【図４】
2008254901.tif 000006
【図５】
2008254901.tif 000007
【図６】
2008254901.tif 000008